(57)【要約】【課題】ＴＶ番組の構成で、ＣＭ前や前回の番組終了直前の内容を、それぞれ、ＣＭ後や次回の番組開始直後に繰り返して放送する事がある。この場合、ＣＭをスキップし、さらに一連の番組を連続して視聴する場合には、繰り返し部分は冗長で、時に不快になる場合がある。【解決手段】上記課題を解決するために、本発明の映像再生装置では、ＣＭの前後の映像や連続する映像中の冗長範囲を検出し、その冗長範囲の終端をチャプター位置として登録する。【選択図】図１
2007165963.tif 000002
【特許請求の範囲】
【請求項１】
録画映像を入力し、映像信号として出力する第１の映像入力手段と、映像信号を入力し、コマーシャル（ＣＭ）の開始位置を検出してＣＭ開始位置情報を出力するＣＭ開始位置検出手段と、同じく映像信号を入力し、ＣＭの終了位置を検出してＣＭ終了位置情報を出力するＣＭ終了位置検出手段と、ＣＭ開始位置情報とＣＭ終了位置情報と映像信号とを入力して、映像信号に於けるＣＭ終了位置直前の複数のフレーム画像とＣＭ開始位置直後の複数のフレーム画像とで冗長なフレーム画像を検出し、その結果を冗長フレーム情報として出力する第１の冗長フレーム検出手段と、冗長フレーム情報を入力すると、その冗長フレーム情報から冗長範囲を特定し、得られた冗長範囲の最後もしくはその近辺のフレーム位置を新チャプター位置情報として出力する新チャプター位置特定手段と、新チャプター位置情報を入力して映像が記録されている媒体に新チャプター位置情報を記録する新チャプター位置記録手段とを備える事を特徴とする映像再生装置。
【請求項２】
連続して関連した複数の録画映像において、時系列でｎ回目に録画された映像を入力し、第ｎ回目の映像信号として出力する第２の映像信号入力手段と、時系列で（ｎ＋１）回目に録画された映像を入力し、第（ｎ＋１）回目の映像信号として出力する第３の映像信号入力手段と、第ｎ回目の映像信号を入力し、第ｎ回目の映像の本編の終了位置を検出して本編映像終了位置情報を出力する本編映像終了位置検出手段と、第（ｎ＋１）回目の映像信号を入力し、第（ｎ＋１）回目の映像の本編の開始位置を検出して本編映像開始位置情報を出力する本編映像開始位置検出手段と、本編映像終了位置情報と本編映像開始位置情報と第ｎ回目の映像信号と第（ｎ＋１）回目の映像信号とを入力して、第ｎ回目の映像信号に於ける本編映像終了位置直前の複数のフレーム画像と第（ｎ＋１）回目の映像信号に於ける本編映像開始位置直後の複数のフレーム画像とで冗長なフレーム画像を検出し、その結果を冗長フレーム情報として出力する第２の冗長フレーム検出手段と、冗長フレーム情報を入力すると、その冗長フレーム情報から冗長範囲を特定し、得られた冗長範囲の最後もしくはその近辺のフレーム位置を新チャプター位置情報として出力する新チャプター位置特定手段と、新チャプター位置情報を入力して映像が記録されている媒体に新チャプター位置情報を記録する新チャプター位置記録手段とを備える事を特徴とする映像再生装置。
【請求項３】
映像再生中、使用者の操作により、前記新チャプター位置情報記録手段で記録された新チャプター位置情報を基に、再生位置をその新チャプター位置、もしくはその近辺に移動する事を特徴とする、請求項１に記載の映像再生装置。
【請求項４】
連続して関連した複数の録画映像のうち、時系列で最後のものを除いた第ｎ回目の映像を再生中、使用者の操作により、第（ｎ＋１）回目の前記新チャプター位置情報記録手段で記録された新チャプター位置情報を基に、再生位置を第（ｎ＋１）回目の映像のその新チャプター位置、もしくはその近辺に移動する事を特徴とする、請求項２に記載の映像再生装置。
【請求項５】
映像再生中、再生位置が前記ＣＭ開始位置検出手段で検出されたＣＭ開始位置もしくはその近辺に達した場合、使用者の操作なしに、前記新チャプター位置記録手段で記録された新チャプター位置情報を基に、再生位置をその新チャプター位置、もしくはその近辺に移動する事を特徴とする、請求項１に記載の映像再生装置。
【請求項６】
連続して関連した複数の録画映像のうち、時系列で最後のものを除いた第ｎ回目の映像を再生中、再生位置が前記本編映像終了位置検出手段で検出された第ｎ回目の映像の本編映像終了位置もしくはその近辺に達した場合、使用者の操作なしに、第（ｎ＋１）回目の映像の前記新チャプター位置記録手段で記録された新チャプター位置情報を基に、再生位置を第（ｎ＋１）回目の映像のその新チャプター位置、もしくはその近辺に移動する事を特徴とする、請求項２に記載の映像再生装置。
【発明の詳細な説明】
【技術分野】
【０００１】
本発明は、記録された一連の映像を、その内容を過不足なく、最短の時間で連続して視聴する事のできる映像再生装置に関するものである。
【背景技術】
【０００２】
近年、ハードディスクドライブやＤＶＤ（Ｄｉｇｉｔａｌ  Ｖｅｒｓａｔｉｌｅ  Ｄｉｓｃ）メディアなどのランダムアクセス可能な記録媒体へのテレビ番組の録画が可能となっている。特にハードディスクに於いては、その大容量という特徴を活かして数多くのテレビ番組を長時間録画する事ができ、毎日、毎週などに放送される、例えば連続ドラマ番組を、すぐに視聴せずに録り溜めておくような使い方ができるようになった。
【０００３】
このような取り溜めた一連の番組を視聴する際、連続して、しかも、本編のみを視聴したいという願望が出てくる。連続再生するための手段として、録画番組のタイトル名、録画した曜日や時間といった属性情報を基に順番に再生する事ができる（例えば、特許文献１参照）。また、例えば、ＣＭ（コマーシャル）を省いて本編のみを視聴するために、本編とＣＭとの切り替わり位置を検出してチャプター位置として登録し、そのチャプター間を手動もしくは自動でＣＭをスキップして視聴する事ができる。本編とＣＭとの切り替わり位置の検出は、例えば、音声がモノラルもしくは音声多重からステレオに、もしくはその逆に切り替わる箇所を探す事によって可能である（例えば、特許文献２）。
【特許文献１】特開２００１−２６６４５７号公報
【特許文献２】特開平１１−７５１４６号公報
【発明の開示】
【発明が解決しようとする課題】
【０００４】
最近のＴＶ番組構成の傾向として、ＣＭ前や前回の番組終了直前の内容を、それぞれ、ＣＭ後や次回の番組開始直後に繰り返して放送する事がある。この場合、上記したような、ＣＭをスキップし、さらに一連の番組を連続して視聴する場合には、繰り返し部分は冗長で、時に不快になる場合がある。
【課題を解決するための手段】
【０００５】
上記課題を解決するために、本発明の映像再生装置では、ＣＭの前後の映像や連続する映像中の冗長範囲を検出し、その冗長範囲の終端をチャプター位置として登録する。
【発明の効果】
【０００６】
上述した本発明の手段により、テレビ番組に含まれる冗長部分を省いて視聴できるため、より短時間で快適な視聴が可能となる。
【発明を実施するための最良の形態】
【０００７】
（実施の形態１）
図１は、本発明の実施の形態１の、１つの録画番組内に含まれるコマーシャル（ＣＭ）後の冗長部分にチャプターを付加するための構成を説明するための図である。以下、図１を用いて説明する。なお、本明細書では、“映像”は一連の静止画が時系列に並んだ集合を意味し、“フレーム”はその静止画１枚を意味する。つまり、“映像”は“フレーム”が時系列に並んだものである。
【０００８】
第１の映像入力手段１によって入力された映像信号は、ＣＭ開始位置検出手段２およびＣＭ終了位置検出手段３に入力され、それぞれ、ＣＭの開始位置およびＣＭの終了位置が検出される。ＣＭの開始位置および終了位置の検出の方法として、特定しないが、例えば、映像に付随する音声のステレオ、モノラル、および、音声多重といったモードが切り替わる位置を利用したり、映像シーンの切り替わる位置を利用したり、さらにそれらを組み合わせて精度を上げる事もできる。
【０００９】
ＣＭ開始位置検出手段２で検出されたＣＭ位置開始情報、および、ＣＭ終了位置検出手段３で検出されたＣＭ終了位置情報は、第１の冗長フレーム検出手段４に入力される。第１の冗長フレーム検出手段４では、隣接するＣＭ開始位置情報、ＣＭ終了位置情報、および、第１の映像入力手段１から出力される映像信号から、ＣＭ開始直前の映像とＣＭ終了直後の映像との間の冗長フレームを検出する。
【００１０】
図３は、冗長フレーム検出の一例を示したフローである。便宜上、映像中の各フレームには映像の先頭から時間軸で順方向に１ずつ増加する番号を付加し、フレーム番号と呼んでいる。
【００１１】
まず、ステップＳＴ１に於いて、ＣＭ開始直前、および、ＣＭ終了直後のフレーム番号をそれぞれＮ、Ｍとし、フレーム番号ｘを持つフレーム画像をＦ（ｘ）とする。さらに、冗長フレームの検索範囲を絞るために、その対象となる範囲のフレーム数Ｋを、そして、見つけるべき冗長フレームの数Ｒを、予め定義しておく。次に、ステップＳＴ２に於いて、実際に見つかった冗長フレーム数をカウントするための変数ｒに０を代入し、初期化する。
【００１２】
ステップＳＴ３では、ＣＭ終了直後の映像に於ける順方向のフレーム番号を表すカウンタ変数ｉにＣＭ終了直後のフレーム番号Ｍを代入する。ステップＳＴ４では、ＣＭ開始直前の映像に於ける逆方向のフレーム番号を表すカウンタ変数ｊにＣＭ開始直前のフレーム番号Ｎを代入する。
【００１３】
ステップＳＴ５では、フレーム番号ｉおよびｊを持つフレーム画像Ｆ（ｉ）とＦ（ｊ）が同一であるかどうかを判定する。ここで、２つのフレーム画像が同一かどうかの判断方法は特定しないが、例えば、２つの画像間における各画素値の差分を取り、その差の総和が予め定めた閾値内であれば同一であると判定しても良いし、また、画像を周波数空間に変換し、周波数成分を比較する事により判定しても良い。
【００１４】
ステップＳＴ５でフレーム画像Ｆ（ｉ）とＦ（ｊ）が同一でないと判断された場合は、フレーム画像Ｆ（ｉ）との比較対照を変更するために、ステップＳＴ６で変数ｊから１を引く。ステップＳＴ７では、変数ｊが冗長フレームの検索範囲を超えていないかどうかを確認し、超えていなければ、ステップＳＴ５にジャンプし、新たに２つのフレーム画像を比較する。もし、変数ｊが冗長フレームの検索範囲を超えている場合、ステップＳＴ８に進み、フレーム画像Ｆ（ｉ）を更新するために、変数ｉに１を加える。ステップＳＴ９では、変数ｉが冗長フレームの検索範囲を超えていないかどうかを確認し、超えていなければ、ステップＳＴ４にジャンプし、繰り返し、フレーム画像Ｆ（ｊ）を変更しながらＦ（ｉ）とＦ（ｊ）の比較を行う。もし、変数ｉが冗長フレームの検索範囲を超えている場合、ＳＴ１０に進み、冗長フレームリストを冗長フレーム情報として出力する。
【００１５】
ステップＳＴ５でフレーム画像Ｆ（ｉ）とＦ（ｊ）が同一であると判断された場合は、ＳＴ１１で冗長フレームのリストにフレーム番号ｉを追加し、ステップＳＴ１２で変数ｒに１を加える。ステップＳＴ１３では、変数ｒとＲを比較し、ｒの値がＲ未満である場合は、ステップＳＴ８にジャンプし、ｒの値がＲ以上である場合は、見つけるべき冗長フレームの数に達したので、ステップＳＴ１０にジャンプする。
【００１６】
上記図３を一例としたフローにより得られた冗長フレーム情報は、図１の第１の冗長フレーム検出手段４から出力され、新チャプター位置特定手段５に入力される。新チャプター位置特定手段５では、冗長フレーム情報を基にＣＭ終了直後の映像の冗長フレーム範囲が抽出され、その最後のフレームの位置が新チャプター位置情報として出力される。この冗長フレーム範囲の抽出に於いて、その方法は任意の方法で良く、例えば、冗長フレーム情報に含まれる先頭から最後までを冗長フレーム範囲としても良いし、冗長フレーム情報内の時系列上で連続するフレームの数が一定数以上になる部分の最も後ろを冗長フレーム範囲としても良い。
【００１７】
新チャプター位置記録手段６は、新チャプター位置情報が入力されると、その情報を映像と同じ記録媒体に記録する。この際、記録する情報として、フレーム番号、フレーム番号を時間に変換した情報が考えられるが、この限りではない。
【００１８】
図４は実施の形態１で記録されるチャプターの概念図であり、図１の新チャプター位置記録手段６で記録されるのはチャプターｃとなる。
【００１９】
（実施の形態２）
図２は、本発明の実施の形態２の、別々に録画されたＴＶ番組シリーズの連続する任意の２つの録画番組内に含まれる冗長部分にチャプターを付加するための構成を説明するための図である。以下、図２を用いて説明する。
【００２０】
第２の映像入力手段７は、毎日や毎週などにシリーズとして放送されるＴＶ番組（例えば連続ドラマなど）を録画した別々の映像のうち、第ｎ回目の映像を入力して第ｎ回目の映像信号として出力し、第３の映像入力手段８は、同じく第（ｎ＋１）回目の映像を入力して第（ｎ＋１）回目の映像信号として出力する。
【００２１】
本編映像終了位置検出手段９では、第ｎ番目の映像のうち、番組本編の終了位置を検出し、番組本編終了位置情報として出力する。また、本編映像開始位置検出手段１０では、第（ｎ＋１）回目の映像のうち、番組本編の開始位置を検出し、番組本編開始位置情報として出力する。ここで、番組本編の開始位置および終了位置の検出方法は特定しないが、例えば、実施の形態１で示した方法などで検出したＣＭの開始位置および終了位置を使用してＣＭを省き、ＣＭを省いた後の映像の先頭フレームおよび最終フレームをそれぞれ番組本編の開始位置および終了位置としても良い。また、さらには、同一シリーズ内の各映像の始まりと終わりには毎回同じオープニングおよびエンディングがある事を利用して、ＣＭを省いた第ｎ回目の映像とＣＭを省いた第（ｎ＋１）回目の映像とを比較し、映像の先頭から順にみて異なるフレーム画像が現れた位置を番組本編の開始位置とし、同様に映像の最後から順にみて異なるフレーム画像が現れた位置を番組本編の開始終了位置としても良い。
【００２２】
第２の冗長フレーム検出手段１１では、番組本編終了位置情報、番組本編開始位置情報、第ｎ回目の映像信号、および、第（ｎ＋１）回目の映像信号から、第ｎ回目の映像内の番組本編終了位置直前の映像と第（ｎ＋１）回目の映像内の番組本編開始位置直後の映像との間の冗長フレームを検出する。
【００２３】
第２の冗長フレーム検出手段１１に於ける冗長フレームの検出方法は特定しないが、例えば、図３の冗長フレーム検出フローを拡張しても良い。すなわち、図３のステップＳＴ１において、第ｎ回目の映像の番組本編終了位置情報をＮ、第（ｎ＋１）回目の映像の番組本編開始位置をＭとし、フレーム番号ｘを持つ第ｎ回目の映像のフレーム画像をＦｎ０（ｘ）、第（ｎ＋１）回目の映像のフレーム画像をＦｎ１（ｘ）とする。さらに、ステップＳＴ５においてＦｎ０（ｊ）とＦｎ１（ｉ）とが同一かどうかの判定を行う事で冗長フレームの検出が可能である。
【００２４】
第２の冗長フレーム検出手段１１からは、検出された冗長フレーム情報が出力され、新チャプター位置特定手段５に入力される。新チャプター位置特定手段５では、実施の形態１での記載と同様に冗長フレーム情報を基に第（ｎ＋１）回目の映像と第ｎ回目の映像との冗長フレーム範囲が抽出され、その最後のフレームの位置が新チャプター位置情報として出力される。
【００２５】
新チャプター位置記録手段６でも実施の形態１での記載と同様に、新チャプター位置情報が入力されると、その情報を映像と同じ記録媒体に記録する。
【００２６】
なお、図５は実施の形態２で記録されるチャプターの概念図であり、図２の新チャプター位置記録手段６で記録されるのはチャプターｄおよびチャプターｈとなる。
【００２７】
（実施の形態３）
図４を用いて実施の形態３の説明をする。図４は実施の形態１で記録されるチャプター設定の概念図である。実施の形態１で示したＣＭ開始位置およびＣＭ終了位置はそれぞれチャプターａおよびチャプターｂに相当し、斜線で示した範囲が冗長フレームの範囲であり、図１の新チャプター位置記録手段６で記録されるのはチャプターｃに相当する。また、チャプターａ〜ｃによって、映像は区間Ａ〜Ｄに分割される。
【００２８】
実施の形態１の映像再生装置の使用者が区間Ａもしくは区間Ｂを再生中、映像スキップ操作を行うと、チャプターｃもしくはその近辺にスキップする。つまり、区間Ｃは再生されず、区間Ｄの先頭から再生される。
【００２９】
（実施の形態４）
図５を用いて実施の形態４の説明をする。図５は実施の形態２で記録されるチャプター設定の概念図である。実施の形態２で示した本編映像終了位置および本編映像開始位置はそれぞれチャプターｅおよびチャプターｇに相当し、斜線で示した範囲が冗長フレームの範囲であり、図２の新チャプター位置記録手段６で記録されるのはチャプターｄおよびチャプターｈに相当する。チャプターｆは映像の先頭を示しているが、これはＣＭが映像の先頭あると仮定しているためであり、映像の先頭にＣＭが無い場合はチャプターｆとチャプターｇは同じ位置となる。また、チャプターｄ〜ｈによって、映像は区間Ｅ〜Ｊに分割される。
【００３０】
実施の形態２の映像再生装置の使用者が区間Ｅ〜Ｈを再生中、映像スキップ操作を行うと、チャプターｈもしくはその近辺にスキップする。つまり、区間Ｉは再生されず、区間Ｊの先頭から再生する。
【００３１】
（実施の形態５）
図４を用いて実施の形態５の説明をする。図４は実施の形態１で記録されるチャプター設定の概念図であり、図１の新チャプター位置記録手段６で記録されるのはチャプターｃとなる。また、チャプターａ〜ｃによって、映像は区間Ａ〜Ｄに分割される。
【００３２】
実施の形態１の映像再生装置で区間Ａを再生し、再生位置がチャプターａもしくはその近辺に到達すると、自動的にチャプターｃもしくはその近辺にスキップし、区間Ｄの先頭から再生される。
【００３３】
（実施の形態６）
図５を用いて実施の形態６の説明をする。図５は実施の形態２で記録されるチャプター設定の概念図であり、図２の新チャプター位置記録手段６で記録されるのはチャプターｄおよびチャプターｈとなる。また、チャプターｄ〜ｈによって、映像は区間Ｅ〜Ｊに分割される。
【００３４】
図５実施の形態２の映像再生装置で区間Ｅを再生し、再生位置がチャプターｄもしくはその近辺に到達すると、自動的にチャプターｈもしくはその近辺にスキップし、区間Ｊの先頭から再生する。
【産業上の利用可能性】
【００３５】
本発明の映像再生装置は、毎週もしくは毎週放送される、例えば連続ドラマのようなシリーズ番組を録り溜めてまとめて見る場合、映像中に含まれる冗長部分を省いて視聴できるため、より短時間で快適な視聴が可能となるため有用である。
【図面の簡単な説明】
【００３６】
【図１】本発明の実施の形態１に於ける、ＣＭ後の冗長部分に於けるチャプター設定の説明図
【図２】本発明の実施の形態２に於ける、連続する録画映像間の冗長部分に於けるチャプター設定の説明図
【図３】本発明の実施の形態１および実施の形態２における、冗長フレーム検出フロー図
【図４】本発明の実施の形態３および実施の形態５における、ＣＭ後の冗長部分に於けるチャプター設定の概念図
【図５】本発明の実施の形態４および実施の形態６における、連続する録画映像間の冗長部分に於けるチャプター設定の概念図
【符号の説明】
【００３７】
１    第１の映像入力手段
２    ＣＭ開始位置検出手段
３    ＣＭ終了位置検出手段
４    第１の冗長フレーム検出手段
５    新チャプター位置特定手段
６    新チャプター位置記録手段
７    第２の映像入力手段
８    第３の映像入力手段
９    本編映像終了位置検出手段
１０    本編映像開始位置検出手段
１１    第２の冗長フレーム検出手段
【図１】
2007165963.tif 000003
【図２】
2007165963.tif 000004
【図３】
2007165963.tif 000005
【図４】
2007165963.tif 000006
【図５】
2007165963.tif 000007